(57)【要約】      （修正有）【課題】熊、或いは、猪に襲われた時に相手を撃退するグッズを提供する。【解決手段】三本の異径シャフトがスライド接合された登山用の杖６にスプリング１、１ａのバネ圧で開閉するジャンプ傘５と、杖の先端に槍先２を仕込む。襲われた時に傘を開いて相手を威嚇し、更に、襲って来るようであれば傘を閉じて杖先端の槍先で相手を撃退する。【選択図】図１
0003200859.tif 000002
【実用新案登録請求の範囲】
【請求項１】
登山用の杖（６）を流用して、同杖にジャンプ式コウモリ傘（以下、ジャンプ傘と称する）（５）と同杖の先端に槍（２）を仕込んで熊や猪が襲ってきた時に同傘を展開させて威嚇し、更に、同槍で応戦する撃退用グッズ。
【請求項２】
当該杖は中空軸（以下、シャフトと称する）になっており“Ｂ”部分のシャフトを“Ａ”部分のシャフトに向かって手動で押し込んで、スプリング（１ａ）を圧縮させて同杖の手元に付属しているボタン（３）を押すことによって同スプリングの留め金がリリースされて同スプリングのばね圧により同傘を展開させ、同時に、スプリング（１）が圧縮される機構になっており、更に、ボタン（３）は２回押しの機構を備えており、同ボタン（３）の２回目の押しでスプリング（１）の留め金がリリースされてスプリング（１）のばね圧により同傘（５）が閉じる機能を備えた（請求項１）記載の撃退用グッズ。
【請求項３】
同杖の先端のキャップ（２ａ）は手動でスプリング（１ｂ）を圧縮して取付けられているが、当該ジャンプ傘が展開されている時に同杖のシャフトに付属しているボタン（３ａ）を押すことによってスプリング（１ｂ）の留め金（３ｂ）がリリースされて同スプリング（１ｂ）のばね圧によって同杖の同キャップ（２ａ）が離脱して槍（２）が現れ出る機構を備えた（請求項１）又は、（請求項２）記載の撃退用グッズ。
【考案の詳細な説明】
【技術分野】
【０００１】熊や猪は人間を突発的に襲うことがある。本考案は、熊や猪を撃退する防御用グッズである。
【背景技術】
【０００２】山菜刈りや渓谷釣りで熊や猪が突発的に人間を襲い重傷を負わせるケースが多発している。人間をこの襲撃から防御するグッズとして、刺激性の強い液体を相手の動物に浴びせるベアスプレー、或いは、音を発するベアベル、爆竹、花火ロケット等が商品として出回っている。しかし、対応グッズとして一長一短で襲撃による重傷事故が絶えないのが現状である。
【考案の概要】
【考案が解決しようとする課題】
【０００３】ベアースプレーで相手を撃退する行為は、相手が突進する時に立ち止まって手を差し伸べてスプレーするのは余程の勇気を必要とする。又、相手が風上から襲って来る場合、スプレーすると自らスプレーを浴びることになる。又、猿がしばしば、農園を荒らし爆竹等で撃退する方便もあるが、動物は音に慣れてくると効果がないと報告されている。従って、音を発する防御グッズは余り効果的ではない。又、爆竹、花火ロケットは、火災の心配があり防災を考慮する必要がある。
【課題を解決するための手段】
【０００４】動物には、襟巻トカゲのように襟巻を広げて自らを大きく見せて相手を威嚇する習性がある。この動物の習性、即ち、自らを大きく見せて相手を威嚇する習性を取り入れたものが本提案の防御用グッズである。
本考案は登山用の杖にジャンプ式こうもり傘（５）（以下、ジャンプ傘と称する）を仕込んだもので、山菜刈り、或いは、渓谷釣りの折に熊や猪に遭遇して襲われる寸前に当該グッズを使用して突発的に同ジャンプ傘を展開して相手を威嚇し、更に、相手が襲って来た時には、杖の先端に取付けられた槍で相手の喉などの急所を突いて撃退する防御用グッズである。【０００５】当該グッズは軽量で且つ、堅牢性のあるチタン材、カーボネット材等の中空管の登山用杖（７）に、ばね仕掛けで即座に開閉可能なジャンプ傘（５）と同杖の先端に鋼鉄製で鋭利な槍（２）を仕込んだものである。図１参照
当該杖は円筒型の中空管（以下、シャフトと称する）でその最大直径は約４ＣＭ．で、同杖の全長は約１．５Ｍで、同シャフトの手元柄には傘を開閉する為の押しボタン（３）（誤押防止スライド式アクリル樹脂カバー付き），傘開閉用のスプリング（１、１ａ）同シャフトの中間部には同シャフトの再先端部に取り付けられている槍カバー離脱用の押しボタン（３ａ）、同ボタンと連動するスプリング（３ｂ）、それに、同押しボタン（３、３ａ）と同スプリング（１、１ａ、１ｂ）を連動させるためのワイヤーが同中空管内に装備されている。【０００６】同杖は、市街地を持ち運ぶ時は布製の傘カバーに収納し、山中では同カバーを取り外し、面ファスナー付のバンド（７）で一時的に収束し、緊急時に備える。
そして、熊や猪が襲って来た時には、同バンドを外し、手元柄のボタン（３）を押して上記した機能を働かせるものである。
同ボタン（３）に２度押しの機能を持たせたのは、２度目の押し動作で傘を“閉”状態にして攻撃してくる相手に対して槍として攻撃しやすくする効果を持たせるためである。この攻撃を以って相手の喉、目、等の急所を突いて撃退することを目的としたものである。図３（Ｂ）参照【０００７】傘（５）は、展開した時に相手をより威嚇する目的で、傘の生地（５ａ、５ｂ）の色を赤と黒を交互に配色せしめる。これは、傘の柄を手で回転させて傘を廻して相手を一層刺激威嚇して退散せしめるためである。図２、図３（Ａ）参照
【考案の効果】
【０００８】当該グッズは動物の習性を取り入れた防御用グッズである一方、通常は登山用の杖として使用し、雨天の時は雨傘としても使用できるので汎用性のあるグッズである。
【図面の簡単な説明】
【０００９】
【図１】  傘及び、槍を仕込んだ熊、猪撃退用グッズの断面図
【図２】  当該グッズの傘を展開した時の傘の布地の配色を示す側面図と平面図
【図３】  （Ａ）：熊が襲撃して来た時に当該グッズの傘を展開し、傘を回転させて相手を威嚇している情景図  （Ｂ）：当該グッズの傘を閉じて相手の急所を狙って攻撃している情景図
【符号の説明】
【００１０】１    傘“閉”動作用スプリング
１ａ  傘“開”動作用スプリング
１ｂ  傘先端キャップ離脱用スプリング
２    槍先
２ａ  先端キャップ、槍先
３    傘開閉用ボタン
３ａ  スプリング（１ｂ）作動用ボタン
３ｂ  ストッパー、スプリング（１ｂ）用留め金
４    スプリング操作ワイヤー
５    傘
５ａ  傘生地（赤色）
５ｂ  傘生地（黒色）
６    シャフト（中空軸）
６ａ  手元柄（持ち手部）
７    面ファスナー付き傘収束バンド
【図１】
0003200859.tif 000003
【図２】
0003200859.tif 000004
【図３】
0003200859.tif 000005
【手続補正書】
【提出日】平成27年8月7日(2015.8.7)
【手続補正１】
【補正対象書類名】実用新案登録請求の範囲
【補正対象項目名】全文
【補正方法】変更
【補正の内容】
【実用新案登録請求の範囲】
【請求項１】
登山用の杖（６）を流用して、同杖に自動開閉式のジャンプ式コウモリ傘（以下、ジャンプ傘と称する）（５）と同杖の先端に槍先（２）を仕込んで熊や猪が襲ってきた時にジャンプ傘を展開させて威嚇し、更に、同杖を槍として応戦する撃退用グッズ
【請求項２】
当該杖はチュウクウ軸（６）（以下、シャフトと称する）になっており三本の異径シャフト、即ち、上部シャフト、中間シャフト（Ａ）、下部シャフト（Ｂ）の三本の異径シャフトのスライド式接合によって構成されており、同杖の手元柄（６ａ）に接合されている下部シャフト（Ｂ）は予め中間シャフト（Ａ）に手動で挿入されているが、この挿入圧力によってスプリング（１ａ）は圧縮されて同杖の手元柄（６ａ）に付属しているボタン（３）を押すことによって同スプリングの留め金がリリースされてスプリング（１ａ）のばね圧により同傘を展開させ、同時に同展開によってスプリング（１）が圧縮され、更に、ボタン（３）の２回目の押圧によってスプリング（１）の留め金がリリースされてスプリング（１）のばね圧により同傘（５）が閉じる機能を備えた  請求項１  記載の撃退用グッズ
【請求項３】
同杖の先端のキャップ（２ａ）は手動でスプリング（１ｂ）を圧縮して取付けられているが、当該ジャンプ傘が展開されている時に同杖の上部シャフトに付属しているボタン（３ａ）を押すことによってスプリング（１ｂ）の留め金（３ｂ）がリリースされて同スプリング（１ｂ）のばね圧によって同杖のキャップ（２ａ）が離脱して槍先（２）が露出する機構を備えた  請求項１  又は、請求項２  記載の撃退用グッズ